(57)【要約】      （修正有）【課題】表示された広告の広告関連情報を短時間で提供することが可能な広告表示装置、および情報提供装置を提供する。【解決手段】広告表示部１０Ａと、近距離無線通信部１８と、制御部１９と、を備え、広告表示部１０Ａは、基板１１と、基板１１の主面１１ａに積層された第１の照明層１２と、第１の照明層１２に積層され、平面視における面積が第１の照明層１２より小さい第２の照明層１３と、第１の照明層１２及び第２の照明層１３に積層され、広告を表示する広告表示層１４と、広告表示層１４に積層され、平面視において第２の照明層１３と重なる領域に、広告関連情報を提供する情報提供サイトの所在を示すアクセス情報を表示するアクセス情報表示層１５と、を有し、近距離無線通信部１８がアクセス情報表示要求信号を受信すると、制御部１９は、広告を照明させる広告照明モードから、アクセス情報を照明させるアクセス情報照明モードへ切り替える。【選択図】図３
0003210603.tif 000002
【実用新案登録請求の範囲】
【請求項１】
広告表示部と、近距離無線通信部と、制御部と、を備え、
前記広告表示部は、
基板と、
前記基板の主面に積層された第１の照明層と、
前記第１の照明層に積層され、平面視における面積が前記第１の照明層より小さい第２の照明層と、
前記第１の照明層及び前記第２の照明層に積層され、広告を表示する広告表示層と、
前記広告表示層に積層され、平面視において前記第２の照明層と重なる領域に、前記広告に関連する広告関連情報を提供する情報提供サイトの所在を示すアクセス情報を表示するアクセス情報表示層と、
を有し、
前記近距離無線通信部が前記アクセス情報を表示させるアクセス情報表示要求信号を受信すると、
前記制御部は、前記第１の照明層を発光させ、前記第２の照明層の発光を停止させることにより前記広告を照明させる広告照明モードから、前記第１の照明層の発光を停止させ、前記第２の照明層を発光させて前記アクセス情報を照明させるアクセス情報照明モードへ切り替える、
広告表示装置。
【請求項２】
請求項１に記載の広告表示装置において、
前記制御部は、前記アクセス情報照明モードに切り替えた後、前記広告照明モードに切り替える、
広告表示装置。
【請求項３】
請求項１に記載の広告表示装置において、
前記広告表示層は、透明な第１のフィルム層と、前記第１のフィルム層の主面に前記広告が形成された広告形成層と、で構成されている、
広告表示装置。
【請求項４】
請求項１に記載の広告表示装置において、
前記第１の照明層及び前記第２の照明層は、複数のＥＬ（Ｅｌｅｃｔｒｏｌｕｍｉｎｅｓｃｅｎｃｅ）素子で構成されたＥＬ層をそれぞれ備えている、
広告表示装置。
【請求項５】
請求項４に記載の広告表示装置において、
前記アクセス情報表示層は、透明な第２のフィルム層と、前記第２のフィルム層の主面に前記アクセス情報が形成されたアクセス情報形成層と、で構成されている、
広告表示装置。
【請求項６】
請求項５に記載の広告表示装置において、
前記アクセス情報表示層の前記第２のフィルム層が紫外線の透過を低減させる材料で形成され、前記アクセス情報は、前記広告表示層とは反対側の前記第２のフィルム層の第１の主面に紫外線の透過を低減させる材料で印刷されている、
広告表示装置。
【請求項７】
請求項５に記載の広告表示装置において、
前記アクセス情報表示層の前記第２のフィルム層が紫外線の透過を低減させる材料で形成され、前記アクセス情報は、前記広告表示層の側の前記第２のフィルム層の第２の主面に紫外線を吸収し可視光を発する材料で印刷されている、
広告表示装置。
【請求項８】
請求項１に記載の広告表示装置において、
前記情報提供サイトがネットワークと接続され、
前記アクセス情報は、前記情報提供サイトの前記ネットワークにおけるアドレス情報で構成されている、
広告表示装置。
【請求項９】
請求項１に記載の広告表示装置において、
前記アクセス情報は、２次元コードで構成されている、
広告表示装置。
【請求項１０】
請求項１に記載の広告表示装置において、
前記基板が可撓性を有する材料で構成されている、
広告表示装置。
【請求項１１】
広告表示装置と、情報処理端末と、情報提供サイトと、
を有し、
前記広告表示装置は、
広告表示部と、近距離無線通信部と、制御部と、を備え、
前記広告表示部は、
基板と、
前記基板の主面に積層された第１の照明層と、
前記第１の照明層に積層され、平面視における面積が前記第１の照明層より小さい第２の照明層と、
前記第１の照明層及び前記第２の照明層に積層され、広告を表示する広告表示層と、
前記広告表示層に積層され、平面視において前記第２の照明層と重なる領域に、前記広告に関連する広告関連情報を提供する情報提供サイトの所在を示すアクセス情報を表示するアクセス情報表示層と、
を有し、
前記情報処理端末は、撮像部と、画像処理部と、ネットワーク通信部と、端末表示部と、近距離無線通信部と、を備え、
前記情報処理端末の前記近距離無線通信部は、前記広告表示部に前記アクセス情報を表示させるアクセス情報表示要求信号を送信し、
前記広告表示装置の前記近距離無線通信部が前記アクセス情報表示要求信号を受信すると、
前記制御部は、前記第１の照明層を発光させ、前記第２の照明層の発光を停止させることにより前記広告を照明させる広告照明モードから、前記第１の照明層の発光を停止させ、前記第２の照明層を発光させて前記アクセス情報を照明するアクセス情報照明モードへ切り替え、
前記情報処理端末の前記撮像部は、前記広告表示装置に表示された前記アクセス情報を撮像し、前記アクセス情報の撮像画像を生成し、
前記画像処理部は、前記アクセス情報の前記撮像画像から前記アクセス情報を検出し、
前記ネットワーク通信部は、検出した前記アクセス情報に基づいて、ネットワークを介して前記情報提供サイトへアクセスし、前記情報提供サイトから前記広告関連情報を受信し、
前記端末表示部は、受信した前記広告関連情報を表示する、
情報提供装置。
【請求項１２】
請求項１１に記載の情報提供装置において、
前記広告表示装置の前記近距離無線通信部が前記アクセス情報表示要求信号を受信したことを示す受信信号を送信し、
前記情報処理端末の前記近距離無線通信部が前記受信信号を受信すると前記撮像部が起動され、
前記撮像部は、前記アクセス情報を撮像し、前記アクセス情報の撮像画像を生成する、
情報提供装置。
【請求項１３】
請求項１１に記載の情報提供装置において、
前記撮像部は、前記アクセス情報を複数回撮像する、
情報提供装置。
【考案の詳細な説明】
【技術分野】
【０００１】
本考案は、広告表示装置、および情報提供装置に関する。
【背景技術】
【０００２】
近年、街頭に設置されたディスプレイや、個人の情報処理端末等に広告を表示する、デジタルサイネージ（電子看板）と呼ばれる広告媒体が普及しつつある。
【０００３】
例えば、特許文献１には、表示装置に表示するコンテンツ情報の切換表示の操作を、簡易な構成により実現した表示装置が開示されている。
【０００４】
具体的には、表示装置は、筐体の前面側において液晶表示体とＬＥＤ表示体を備えてなる。表示装置は、店頭や店舗内に設置される状態で使用され、液晶表示体やＬＥＤ表示体において商品情報、役務情報を表出可能としている。表示装置の正面から観た右側下方位置には、赤外線受光素子と磁気センサが上下並んで配設される。赤外線受光素子は、操作者が保持する赤外線リモコン装置から発信される信号を受信可能とし、また磁気センサは操作者が保持する磁性体の近接・離隔により液晶表示体やＬＥＤ表示体に表示する商品情報、役務情報の切換表示を可能にしている。
【０００５】
また、特許文献２には、広告のために電子機器がスタンドアロンで使用される場合にも限られたリソースの範囲で個人属性を考慮して広告効果を高めることができるようにする電子機器等が開示されている。
【０００６】
具体的には、電子機器は、複数のコンテンツデータを格納する記憶部と、携帯端末との間で近距離無線受信を行う複数の通信チャネルを備えた近距離無線通信部と、前記近距離無線通信部で携帯端末から受信した個人属性情報を所定のルールに従って処理した結果に基づいて前記記憶部からコンテンツデータを選択する制御部と、前記制御部で選択されたコンテンツデータを表示する表示部と、を有する。
【先行技術文献】
【特許文献】
【０００７】
【特許文献１】特開２０１６−２２４３５４号公報
【特許文献２】特開２０１６−１５６８８７号公報
【考案の概要】
【考案が解決しようとする課題】
【０００８】
通行人やユーザー等の視聴者は、ディスプレイや情報処理端末等に表示された広告を視聴することができる。広告の内容に興味を持てば、視聴者は、インターネット検索等により、広告に関連する詳細な情報を取得することできる。しかし、これでは、詳細な情報を取得するまでに、ある程度の手間や時間が掛かってしまう。
【０００９】
そこで、本考案は、表示された広告の広告関連情報を短時間で提供することが可能な広告表示装置、および情報提供装置を提供することを目的とする。
【課題を解決するための手段】
【００１０】
本願において開示される考案のうち、代表的なものの概要を簡単に説明すれば、以下のとおりである。
【００１１】
すなわち、本考案の代表的な実施の形態による広告表示装置は、基板と、基板の主面に積層された第１の照明層と、第１の照明層に積層され、平面視における面積が第１の照明層より小さい第２の照明層と、第１の照明層及び第２の照明層に積層され、広告を表示する広告表示層と、広告表示層に積層され、平面視において第２の照明層と重なる領域に、広告に関連する広告関連情報を提供する情報提供サイトの所在を示すアクセス情報を表示するアクセス情報表示層と、近距離無線通信部と、制御部と、を備え、近距離無線通信部がアクセス情報を表示させるアクセス情報表示要求信号を受信すると、制御部は、第１の照明層を発光させ、第２の照明層の発光を停止させることにより広告を照明させる広告照明モードから、第１の照明層の発光を停止させ、第２の照明層を発光させてアクセス情報を照明するアクセス情報照明モードへ切り替える。
【考案の効果】
【００１２】
本願において開示される考案のうち、代表的なものによって得られる効果を簡単に説明すれば以下のとおりである。
【００１３】
すなわち、本考案の代表的な実施の形態によれば、表示された広告の広告関連情報を短時間で提供することが可能な広告表示装置、短時間で取得することが可能となる。
【図面の簡単な説明】
【００１４】
【図１】本考案の実施の形態１に係る情報提供装置の構成の一例を示す図である。
【図２】本考案の実施の形態１に係る広告表示装置の構成の一例を示すブロック図である。
【図３】本考案の実施の形態１に係る広告表示部の構成の一例を示す図である。
【図４】本考案の実施の形態１に係る第１の照明層及び第２の照明層の構成の一例を示す断面図である。
【図５】本考案の実施の形態１に係る照明の切り替え動作の一例を示す図である。
【図６】本考案の実施の形態１に係る情報処理端末の構成の一例を示す図である。
【図７】本考案の実施の形態２に係る広告表示部の構成の一例を示す図である。
【考案を実施するための形態】
【００１５】
以下、本考案の実施の形態を図面に基づいて詳細に説明する。なお、実施の形態を説明するための全ての図において、同一部には原則として同一の符号を付し、その繰り返しの説明は省略する。
【００１６】
（実施の形態１）
＜情報提供装置の構成＞
図１は、本考案の実施の形態１に係る情報提供装置の構成の一例を示す図である。情報提供装置１は、図１に示すように、広告表示装置１０、情報処理端末２０、情報提供サイト３０、ネットワーク４０等を備えている。
【００１７】
本考案の情報提供装置１は、例えば、いわゆるデジタルサイネージと呼ばれる電子広告等に用いられる。情報提供装置１において、広告表示装置１０では、広告や表示された広告に関連する広告関連情報を提供する情報提供サイト３０の所在を示すアクセス情報が表示される。また、情報処理端末２０は、例えば、広告表示装置１０に表示されたアクセス情報を検出し、検出したアクセス情報に基づいて、ネットワーク４０を介して情報提供サイト３０へアクセスする。そして、情報処理端末２０は、情報提供サイト３０から広告表示装置１０に表示されている広告に関連する広告関連情報を受信して表示する。
【００１８】
［広告表示装置の構成］
図２は、本考案の実施の形態１に係る広告表示装置の構成の一例を示すブロック図である。広告表示装置１０は、図２に示すように、広告表示部１０Ａ、電源部１７、近距離無線通信部１８、制御部１９等を備えている。
【００１９】
図３は、本考案の実施の形態１に係る広告表示部の構成の一例を示す図である。図３（ａ）は広告表示部１０Ａの平面図を示し、図３（ｂ）は広告表示部１０Ａの断面図を示している。なお、図３（ａ）では、例えば、モデルの人物が飲料が入ったグラスを片手に持っている状況が広告として示され、ＱＲコード（登録商標）がアクセス情報として示されている。また、図３（ｂ）では、広告表示部１０Ａの断面構造とともに、電源部１７、近距離無線通信部１８、制御部１９が示されている。図３（ｂ）で示す電源部１７、近距離無線通信部１８、制御部１９の配置は一例であり、使用状況に応じて適宜変更可能である。
【００２０】
広告表示部１０Ａは、広告や、広告に関連する広告関連情報を提供する情報提供サイト３０の所在を示すアクセス情報等を表示する。広告表示部１０Ａは、例えば図３（ａ）に示すように、平面視で矩形状に形成されてもよいし、これ以外にも、例えば円形や楕円形等、広告表示装置１０の設置箇所の状況に応じて任意の形状に形成されてもよい。
【００２１】
広告表示部１０Ａは、図３（ｂ）に示すように、例えば、基板１１、第１の照明層１２、第２の照明層１３、広告表示層１４、アクセス情報表示層１５等を備えている。
【００２２】
基板１１は、例えばシート状に形成され、第１の照明層１２〜アクセス情報表示層１５を支持する支持体として機能する。基板１１は、例えば可撓性を有する樹脂等の材料で構成されている。
【００２３】
基板１１の主面１１ａには、第１の照明層１２が積層されている。図４は、本考案の実施の形態１に係る第１の照明層及び第２の照明層の構成の一例を示す断面図である。図４（ａ）は、第１の照明層１２の構成の一例を示す図である。図４（ｂ）は、第２の照明層１３の構成の一例を示す図である。
【００２４】
第１の照明層１２は、図４（ａ）に示すように、電極１２ａ、ＥＬ層１２ｂ、電極１２ｃを備えている。第１の照明層１２は、図４（ａ）に示すように、電極１２ａ、１２ｃによりＥＬ層１２ｂが挟持された構成となっている。ＥＬ層１２ｂは、平面視でほぼ全域に分布した複数のＥＬ素子等により構成されている。それぞれのＥＬ素子は、例えば無機ＥＬ素子や有機ＥＬ素子で構成されており、電極１２ａ、１２ｃから供給される電力により発光する。ＥＬ層１２ｂは、広告表示層１４側へ発光するように設置され、発光により、広告表示層１４に表示された広告を背面側から照明する。
【００２５】
電極１２ｃは、図４（ａ）に示すように、広告表示層１４側に配置されている。このため、電極１２ｃは、透明性を有する材料（例えばＩＴＯ：Ｉｎｄｉｕｍ  Ｔｉｎ  Ｏｘｉｄｅ）で構成されている。
【００２６】
第１の照明層１２には、第２の照明層１３が積層されている。第２の照明層１３は、後述するアクセス情報形成層１５ｂに印刷されたアクセス情報を照明するために設けられた層である。このため、平面視における第２の照明層１３の面積は、図３（ａ）に示すように、第１の照明層１２より小さくなるように構成されている。第２の照明層１３は、図３（ａ）に示すように、例えば、平面視でアクセス情報形成層１５ｂとほぼ同じ形状となるように構成されている。すなわち、平面視において、第２の照明層１３は、アクセス情報形成層１５ｂとほぼ同じ面積となるように構成されている。なお、平面視において第１の照明層１２と第２の照明層１３とが重なる領域では、第１の照明層１２が切り取られていてもよい。
【００２７】
第２の照明層１３は、図４（ｂ）に示すように、電極１３ａ、ＥＬ層１３ｂ、電極１３ｃを備えている。第２の照明層１３は、図４（ｂ）に示すように、電極１３ａ、１３ｃによりＥＬ層１３ｂが挟持された構成となっている。なお、第２の照明層１３は、前述した第１の照明層１２と同様の構成となっているので、詳細な説明は省略する。なお、第１の照明層の電極１２ｃと第２の照明層１３の電極１３ａとの間には、図示しない絶縁層が設けられており、これらの電極は絶縁されている。ＥＬ層１３ｂは、アクセス情報表示層１５側へ発光するように設置され、発光することにより、アクセス情報形成層１５ｂに印刷されたアクセス情報を背面側から照明する。
【００２８】
電極１３ｃは、図４（ｂ）に示すように、アクセス情報表示層１５側に配置されている。このため、電極１３ｃは、透明性を有する材料（例えばＩＴＯ）で構成されている。
【００２９】
広告表示層１４は、図３（ｂ）に示すように、第１の照明層１２及び第２の照明層１３に積層されている。すなわち、広告表示層１４は、平面視において、第２の照明層１３と重なる領域では第２の照明層１３に積層され、それ以外の領域では第１の照明層１２に積層されている。広告表示層１４は、図３（ｂ）に示すように、透明な第１のフィルム層１４ａと、第１のフィルム層１４ａの主面１４ｃに広告が形成された広告形成層１４ｂと、で構成されている。図３（ｂ）に示す例では、広告形成層１４ｂは、第１のフィルム層１４ａのアクセス情報表示層１５側の主面１４ｃに形成されているが、第１のフィルム層１４ａの基板１１側の主面１４ｄに形成されてもよい。
【００３０】
第１のフィルム層１４ａは、透明なシート状のものであればよく、例えば、樹脂などで構成されてもよい。広告形成層１４ｂは、例えば、第１のフィルム層１４ａの主面１４ｃに印刷された広告により構成される。広告形成層１４ｂは、例えば、インクジェット式のプリンタにより印刷された広告で構成されてもよいし、第１のフィルム層１４ａに手書きされた広告で構成されてもよい。これらの場合、広告形成層１４ｂは、第１のフィルム層１４ａと一体で形成されることとなる。
【００３１】
なお、広告形成層１４ｂは、第１のフィルム層１４ａとは別個の透明なフィルムに広告が印刷されたものであってもよい。この場合には、第１のフィルム層１４ａと広告形成層１４ｂとが別体で構成され、広告表示層１４は、広告形成層１４ｂを構成するフィルムと第１のフィルム層１４ａとが貼り合わされた構成となる。
【００３２】
広告表示層１４には、図３(ｂ)に示すように、アクセス情報表示層１５が積層されている。アクセス情報表示層１５は、図３（ｂ）に示すように、透明な第２のフィルム層１５ａと、第２のフィルム層１５ａの第１の主面１５ｃにアクセス情報が形成されたアクセス情報形成層１５ｂと、で構成されている。本実施の形態では、図３（ｂ）に示すように、アクセス情報形成層１５ｂが、第２のフィルム層１５ａの基板１１とは反対側の第１の主面１５ｃに形成されている。
【００３３】
アクセス情報は、広告に関連する広告関連情報を提供する情報提供サイト３０の所在を示すものであり、例えば、情報提供サイトのネットワーク４０におけるアドレス情報等で構成されている。また、アクセス情報は、例えば、ＱＲコード（登録商標）等からなる２次元コードで表されている。
【００３４】
第２のフィルム層１５ａは、例えば、透明なシート状のものであればよく、例えば、樹脂などで構成されてもよい。また、第２のフィルム層１５ａは、例えば、透明かつ紫外線の透過を低減させる材料で形成された、いわゆるＵＶフィルムで構成されていることが好ましい。これにより、第１の照明層１２及び第２の照明層１３の劣化が抑えられ製品寿命を延ばすことができる。
【００３５】
アクセス情報形成層１５ｂは、例えば、第２のフィルム層１５ａの第１の主面１５ｃに印刷されたアクセス情報により構成される。アクセス情報形成層１５ｂは、例えば、インクジェット式のプリンタにより印刷されたアクセス情報で構成される。この場合、アクセス情報形成層１５ｂは、第２のフィルム層１５ａと一体で形成されることとなる。
【００３６】
なお、アクセス情報形成層１５ｂは、第２のフィルム層１５ａとは別個の透明なフィルムにアクセス情報が印刷されたものであってもよい。この場合には、第２のフィルム層１５ａとアクセス情報形成層１５ｂとが別体で構成され、アクセス情報表示層１５は、アクセス情報形成層１５ｂを構成するフィルムと第２のフィルム層１５ａとが貼り合わされた構成となる。
【００３７】
アクセス情報の印刷には、例えば、紫外線の透過を低減させる材料で構成されたインク（以下では「ＵＶインク」とも称する）が使用される。また、ＵＶインクは、透明な材料で構成されていることが好ましい。アクセス情報が印刷された領域（以下では「アクセス情報印刷領域」とも称する）では、ＵＶインク及びＵＶフィルムにより紫外線の透過が抑えられる。一方、それ以外の領域では、ＵＶフィルムのみで紫外線の透過が抑えられる。これにより、アクセス情報印刷領域では、それ以外の領域より紫外線の透過が抑えられ、アクセス情報印刷領域における明るさ（明度）が低下する。
【００３８】
アクセス情報形成層１５ｂは、広告表示部１０Ａの一部の領域に設けられている。アクセス情報形成層１５ｂは、例えば図３（ｂ）に示すように、平面視において第２の照明層１３と重なる領域に設けられている。なお、アクセス情報は広告表示部１０Ａの一部の領域にのみ形成され、さらに透明なインクで構成されているため、アクセス情報が広告の視認性を損なうことはない。
【００３９】
電源部１７は、第１の照明層１２及び第２の照明層１３へ電力を供給する。例えば、電源部１７は、第１の照明層１２の電極１２ａ及び１２ｃ、第２の照明層１３の電極１３ａ及び１３ｃへ電力を供給し、ＥＬ層１２ｂ及び１３ｂをそれぞれ発光させる。電源部１７は、例えば、外部電源と接続されており、外部電源から供給された電力を第１の照明層１２及び第２の照明層１３へ供給する。
【００４０】
近距離無線通信部１８は、後述する情報処理端末２０との間で近距離無線通信を行う。すなわち、広告表示装置１０及び情報処理端末２０は、ネットワーク４０を介さず通信することが可能である。近距離無線通信部１８は、情報処理端末２０から送信されたアクセス情報表示要求信号を受信する。アクセス情報表示要求信号とは、広告表示部１０Ａにアクセス情報を表示させる要求を行う信号である。広告表示部１０Ａに表示された広告に興味を持てば、広告表示装置１０付近の通行人は、情報処理端末２０を操作することにより、近距離無線通信によりアクセス情報表示要求信号を送信する。アクセス情報表示要求信号を受信した近距離無線通信部１８は、アクセス情報表示要求信号を受信したことを示す受信信号を制御部１９へ送信する。また、近距離無線通信部１８は、受信信号を情報処理端末２０へ送信してもよい。
【００４１】
近距離無線通信には、例えば、Ｗｉ−Ｆｉ（登録商標）、Ｚｉｇｂｅｅ（登録商標）、Ｂｌｕｅｔｏｏｔｈ（登録商標）、ＵＷＢ（Ｕｌｔｒａ  Ｗｉｄｅ  Ｂａｎｄ）、ミリ波通信、ＮＦＣ（Ｎｅａｒ  ｆｉｅｌｄ  ｒａｄｉｏ  ｃｏｍｍｕｎｉｃａｔｉｏｎ）、ＷｉＳＵＭ等が用いられる。また、これら以外にも、近距離無線通信には、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、登録商標）等のＷＡＮ（Ｗｉｄｅ  Ａｒｅａ  Ｎｅｔｗｏｒｋ）、ＭＡＮ（Ｍｅｔｒｏｐｏｌｉｔａｎ  Ａｒｅａ  Ｎｅｔｗｏｒｋ）が用いられる。
【００４２】
制御部１９は、広告表示装置１０に関わる各種制御を行う。制御部１９は、例えば、電源部１７、近距離無線通信部１８のオン・オフの切り替え等を行う。また、制御部１９は、近距離無線通信部１８から送信されるアクセス情報表示要求に対応する受信信号に基づいて、第１の照明層１２及び第２の照明層１３のオン・オフを切り替える。
【００４３】
図５は、本考案の実施の形態１に係る照明の切り替え動作の一例を示す図である。図５では、広告やアクセス情報が照明されたときの広告表示部１０Ａの様子が示されている。例えば、図５（ａ）では、後述する広告照明モード時における広告表示部１０Ａの様子が示され、図５（ｂ）では、後述するアクセス情報照明モードにおける広告表示部１０Ａの様子が示されている。なお、図５（ａ）では、照明されている広告は実線で示され、照明されていないアクセス情報は点線で囲まれている。また、図５（ｂ）では、照明されていない広告は点線で示され、照明されているアクセス情報は実線で示されている。
【００４４】
例えば、近距離無線通信部１８からの受信信号を受信するまでは、制御部１９は、第１の照明層１２を発光させ、第２の照明層１３の発光を停止させる広告照明モードに切り替える。広告照明モードでは、制御部１９は、電源部１７から第１の照明層１２の電極１２ａ及び１２ｃへ電力を供給させ、第２の照明層１３の電極１３ａ及び１３ｃへ電力を供給させないようにする。これにより、第１の照明層１２のみが発光し、第２の照明層１３は発光しない状態となる。そうすると、図５（ａ）に示すように、アクセス情報は照明されず広告のみが照明されるため、広告が明るく表示されることとなる。
【００４５】
これに対して、近距離無線通信部１８からの受信信号を受信すると、制御部１９は、第１の照明層１２の発光を停止させ、第２の照明層１３を発光させるアクセス情報照明モードに切り替える。アクセス情報照明モードでは、制御部１９は、第１の照明層１２の電極１２ａ及び１２ｃへの電力を供給させず、第２の照明層１３の電極１３ａ及び１３ｃへ電力を供給させるようにする。これにより、第２の照明層１３のみが発光し、第１の照明層１２は発光しない状態となる。そうすると、図５（ｂ）に示すように、広告は照明されずアクセス情報のみが照明されるため、アクセス情報を表示する領域のみが明るく表示されることとなる。
【００４６】
なお、アクセス情報照明モードでは、広告照明モードよりも広告が暗く表示されるだけで、広告が消えてしまうわけではない。すなわち、アクセス情報照明モードでは、アクセス情報を表示する領域が照明され、その他の領域では、照明されていない広告が表示される。
【００４７】
また、制御部１９は、照明モードをアクセス情報照明モードに切り替えた後、広告照明モードに切り替えてもよい。制御部１９は、例えば、アクセス情報照明モードに切り替えた後、所定の時間が経過すると広告照明モードに切り替える。アクセス情報照明モードに切り替えてから再び広告照明モードへ切り替えるまでの時間（すなわち、アクセス情報照明モードの継続時間）は、特に限定されるものではない。また、照明モードが、短期間に繰り返し切り替えられても構わない。その間、広告の明度の変動が繰り返し発生することとなるが、これにより、情報提供サイト３０へのアクセスが頻繁に行われていることを通行人に示すことができるので、広告による宣伝効果をより向上させることも可能である。
【００４８】
また、近距離無線通信部１８が、アクセス情報が検出されたことを示す信号を情報処理端末２０から受信すると、制御部１９は、照明モードを広告照明モードに切り替えるようにしてもよい。
【００４９】
［情報処理端末の構成］
図６は、本考案の実施の形態１に係る情報処理端末の構成の一例を示す図である。情報処理端末２０には、例えば、撮像機能、ネットワーク通信機能、近距離無線通信機能等を備えた各種機器が用いられる。具体的には、情報処理端末２０として、例えば、スマートフォン、パソコン、タブレット端末、ゲーム機等が用いられる。
【００５０】
情報処理端末２０は、図６に示すように、撮像部２１、画像処理部２２、ネットワーク通信部２３、端末制御部２４、端末表示部２５、データ格納部２６、近距離無線通信部２７等を備えている。
【００５１】
撮像部２１は、広告表示装置１０の広告表示部１０Ａに表示されたアクセス情報を撮像し、アクセス情報の撮像画像を生成する。例えば、撮像部２１は、広告表示部１０Ａに表示された２次元コード等のアクセス情報を撮像する。なお、撮像画像には、アクセス情報以外にも、アクセス情報の周辺領域や広告表示装置１０の背景の景色等が写り込んでいても構わない。なお、撮像部２１は、使用状況に応じて、可視光線の波長域でアクセス情報を撮像してもよいし、紫外線の波長域でアクセス情報を撮像してもよい。撮像部２１は、紫外線域で撮像する場合には、例えば、紫外線のフィルタを用いてもよい。
【００５２】
また、撮像部２１は、広告表示部１０Ａに表示されたアクセス情報を複数回撮像してもよい。このため、撮像部２１は、連続撮像モードを備えていてもよい。連続撮像モードでは、情報処理端末２０のユーザがシャッタースイッチ（図示せず）を操作すると、撮像部２１は、広告表示部１０Ａに表示されたアクセス情報を連続して撮像する。そして、撮像部２１は、アクセス情報等が写った撮像画像を順次生成する。これにより、手振れ等の要因によりアクセス情報が鮮明に撮像されない場合が発生しても、アクセス情報を検出することが可能となる。
【００５３】
なお、撮像部２１は、動画撮像モードを用いてアクセス情報を複数回撮像してもよい。動画データは、フレームごとに撮像された複数の撮像画像を順次つなぎ合わせて生成されるため、必要に応じてアクセス情報の撮像画像を動画データから取り出すことが可能である。撮像部２１は、例えば画像処理部２２へ生成した撮像画像を出力する。なお、撮像部２１は、生成した撮像画像を、後述するデータ格納部２６に格納してもよい。
【００５４】
なお、撮像部２１は、アクセス情報の撮像に関連するこれらの処理をアクセス情報取得アプリケーションにより実行してもよい。
【００５５】
画像処理部２２は、撮像部２１から出力された撮像画像に基づいてアクセス情報を検出する。例えば、画像処理部２２は、撮像画像から、アクセス情報としての２次元コード等が表示されたアクセス情報表示領域を検出する。ここで、アクセス表示領域とは、例えば、アクセス情報印刷領域とそれ以外の領域とを合わせた領域のことをいう。図３、図５の例では、アクセス情報表示領域は矩形状になっている。
【００５６】
画像処理部２２は、検出したアクセス情報表示領域を構成するアクセス情報印刷領域とその他の領域との組み合わせに基づいて、例えば２次元コードを構成する各ビットのデータを読み出し、２次元コードのビット配列を生成する。そして、画像処理部２２は、生成した２次元コードのビット配列をデコードすることにより、情報提供サイト３０へのアクセス用データを生成する。
【００５７】
画像処理部２２は、例えば、検出したアクセス情報（例えば２次元コード）のビット配列に対応するアクセス用データを読み出してもよいし、２次元コードのビット配列を所定のプログラムにより変換することによりアクセス用データを生成してもよい。ここで、生成されたアクセス用データは、例えば、アクセス情報としてのＵＲＬ（Ｕｎｉｆｏｒｍ  Ｒｅｓｏｕｒｃｅ  Ｌｏｃａｔｏｒ）等のアドレス情報で構成されている。
【００５８】
ところで、広告表示部１０Ａに表示されるアクセス情報は、透明なインクにより形成されたものであり、照明されたアクセス情報表示層１５において、アクセス情報印刷領域と、それ以外の領域と、の明るさ（明度）の差は、肉眼ではほとんど認識することができない。そこで、画像処理部２２は、これらの明度の差を検出する画像処理を行うことによりアクセス情報を検出する。その際、画像処理部２２は、第２の照明層１３による照明（可視光域）の明度の差に基づいてアクセス情報（例えば２次元コード）を検出してもよいし、アクセス情報印刷領域とそれ以外の領域の紫外線域における明度の差に基づいてアクセス情報を検出してもよい。
【００５９】
まず、可視光域における明度の差に基づいてアクセス情報を検出する場合について説明する。アクセス情報表示層１５において、アクセス情報印刷領域の照明は、第２のフィルム層１５ａと印刷されたアクセス情報を透過するが、それ以外の領域では、第２のフィルム層１５ａのみを透過する。このため、アクセス情報印刷領域は、それ以外の領域よりも明度が小さく（暗く）なる。画像処理部２２は、このような明度の差に基づいてアクセス情報を検出する。
【００６０】
次に、紫外線域の明度の差に基づいてアクセス情報を検出する場合について説明する。アクセス情報表示層１５において、アクセス情報印刷領域では、第２のフィルム層１５ａ及びアクセス情報により、外部光に含まれる紫外線の透過を抑えるが、それ以外の領域では、第２のフィルム層１５ａのみで紫外線の透過を抑えることとなる。このため、アクセス情報印刷領域では、それ以外の領域よりも広告表示装置１０の内部へ透過する紫外線量が抑えられるため、それ以外の領域よりも反射する紫外線量が多く明度が大きく（明るく）なる。画像処理部２２は、このような紫外線域の明度の差に基づいてアクセス情報を検出する。
【００６１】
アクセス情報の検出に係るこれら一連の処理は、例えば、アクセス情報取得アプリケーションにより実行される。なお、アクセス情報取得アプリケーションは、例えば端末制御部２４で起動され、端末制御部２４においてアクセス情報の検出に係るこれらの処理が実行されてもよい。
【００６２】
ネットワーク通信部２３は、画像処理部２２で検出されたアクセス情報に基づいて、図１に示す情報提供サイト３０へアクセスする。ネットワーク通信部２３は、ネットワーク４０を介して、例えば、画像処理部２２で生成されたアクセス用データに含まれるＵＲＬ等のアドレス情報に基づいて情報提供サイト３０へアクセスする。
【００６３】
そして、ネットワーク通信部２３は、ネットワーク４０を介して、アクセス先の情報提供サイト３０から、広告表示部１０Ａに表示された広告に関連する広告関連情報を受信する。例えば、ネットワーク通信部２３は、広告関連情報としてブラウザでウェブページを表示するためのウェブページデータ等を情報提供サイト３０から受信する。ネットワーク通信部２３は、受信したウェブページデータ等の広告関連情報を、例えば、端末制御部２４へ出力する。
【００６４】
なお、ネットワーク通信部２３における広告関連情報の受信に関連する一連の処理は、例えば、アクセス情報取得アプリケーションにより実行されてもよい。
【００６５】
端末制御部２４は、例えば、ネットワーク通信部２３から出力された広告関連情報を、端末表示部２５に表示させるための処理を行う。広告関連情報としてのウェブページデータがネットワーク通信部２３から出力されると、端末制御部２４はブラウザを起動し、ウェブページデータに基づいたウェブページを端末表示部２５に表示させる。
【００６６】
また、端末制御部２４は、情報処理端末２０を構成する各部の制御を行う。端末制御部２４は、例えば、情報処理端末２０の各種設定を行う設定変更画面を端末表示部２５に表示させ、ユーザからの設定変更の入力を受け付ける。端末制御部２４は、ユーザからの設定変更を受け付けると、例えば、撮像部２１の撮像モードを通常モード（シャッターボタンが１回操作されるごとに１回撮像するモード）、連続撮像モード、動画撮像モードのいずれかのモードに設定する。
【００６７】
また、端末制御部２４は、例えば、情報提供サイト３０の閲覧履歴をデータ格納部２６に格納する。その際、データ格納部２６は、例えば、ＵＲＬやウェブページデータ等を、対応する閲覧履歴情報として格納する。また、閲覧履歴を介した情報提供サイト３０への閲覧要求が行われた場合、端末制御部２４は、閲覧要求に対応する閲覧履歴情報に基づいたウェブページ等を端末表示部２５に表示させる。
【００６８】
端末表示部２５は、ネットワーク通信部２３が情報提供サイト３０から受信した広告関連情報を表示する。端末表示部２５は、前述したように、例えば、広告表示部１０Ａに表示された広告に関連するウェブページ等を広告関連情報として表示する。また、端末表示部２５は、例えば、設定変更画面、広告関連情報とは関連しないその他の撮像画像や動画像等を表示する。端末表示部２５として、例えば、液晶表示装置、有機ＥＬ表示装置、ＬＥＤ表示装置、電気泳動表示装置等が用いられる。なお、端末表示部２５への広告関連情報の表示に関する処理は、アクセス情報取得アプリケーションにより行われてもよい。
【００６９】
データ格納部２６は、例えば、アクセス情報ごとに、２次元コードのビット配列とアクセス用データとを対応させて格納する。データ格納部２６は、例えば、これらの情報をテーブルとして格納し、生成された２次元コードのビット配列に対応するアクセス用データを出力するようになっている。これらの情報は、例えば、使用開始前にデータ格納部２６に登録されてもよいし、適宜追加されてもよい。また、データ格納部２６は、アクセス情報取得アプリケーションを格納する。また、データ格納部２６は、撮像部２１で生成された撮像画像や動画像等を格納する。また、データ格納部２６は、情報提供サイト３０の閲覧履歴を格納する。データ格納部２６は、例えば、ＵＲＬやウェブページデータ等を、それぞれの閲覧履歴に対応する閲覧履歴情報として格納する。
【００７０】
近距離無線通信部２７は、広告表示装置１０の近距離無線通信部１８との間で近距離無線通信によるデータの送受信を行う。例えば、近距離無線通信部２７は、広告表示部１０Ａにアクセス情報を表示させるアクセス情報表示要求信号を広告表示装置１０の近距離無線通信部１８へ送信する。また、近距離無線通信部２７は、アクセス情報表示要求信号が受信されたことを示す受信信号を、広告表示装置１０の近距離無線通信部１８から受信してもよい。
【００７１】
なお、近距離無線通信部２７は、例えば、ネットワーク通信部２３と一体で構成されてもよい。この場合、ネットワーク通信部２３は、ネットワーク４０を介してデータの送受信を行うネットワーク通信機能と、近距離無線通信によりデータの送受信を行う近距離無線通信機能とを併せ持つこととなる。
【００７２】
また、近距離無線通信部２７は、アクセス情報表示要求に関連するこれらの処理を、例えばアクセス情報取得アプリケーションにより行ってもよい。すなわち、情報処理端末２０では、近距離無線通信部２７によるアクセス情報の表示要求から、端末表示部２５への広告関連情報の表示までの処理が、アクセス情報取得アプリケーションにより行われてもよい。
【００７３】
アクセス情報取得アプリケーションが起動されると、例えば、広告表示部１０Ａへのアクセス情報の表示を要求する画像が端末表示部２５に表示され、ユーザによる操作により、アクセス情報表示要求信号が広告表示装置１０の近距離無線通信部１８へ送信される。広告表示装置１０の近距離無線通信部１８から送信されたアクセス情報表示要求信号が受信されたことを示す受信信号を受信すると、アクセス情報取得アプリケーションにより、自動的に撮像部２１が起動する。ユーザによりアクセス情報の撮像が行われると、アクセス情報の撮画画像が画像処理部２２へ送信される。画像処理部２２は、アクセス情報取得アプリケーションによる画像処理により撮像画像からアクセス情報を検出し、検出したアクセス情報に基づいてアクセス用データを生成する。アクセス情報取得アプリケーションは、例えば、生成されたアクセス用データに基づいて情報提供サイト３０へアクセスして広告関連情報を読み出し、読み出した広告関連情報を端末表示部２５へ表示させる。
【００７４】
［その他の構成要素について］
図１に示す情報提供サイト３０は、広告表示装置１０に表示された広告に関連する広告関連情報を提供する。情報提供サイト３０は、例えばインターネット等のネットワーク４０と接続されており、情報提供サイト３０には、ネットワーク４０上で有効なＵＲＬ等のアドレス情報が割り当てられている。情報処理端末２０からアクセスされた情報提供サイト３０は、ネットワーク４０を介して、広告関連情報を情報処理端末２０へ送信する。
【００７５】
ネットワーク４０は、前述したように、例えばインターネットであってもよいし、ＬＡＮ（Ｌｏｃａｌ  Ａｒｅａ  Ｎｅｔｗｏｒｋ）であってもよい。ネットワーク４０がインターネットで構成されていれば、情報提供サイト３０には、例えば、ＵＲＬやＩＰアドレス等がアドレス情報として割り当てられる。また、ネットワーク４０がＬＡＮで構成されていれば、情報提供サイト３０には、例えばＩＰアドレス等がアドレス情報として割り当てられる。
【００７６】
＜本実施の形態による効果＞
本実施の形態によれば、広告表示装置１０の近距離無線通信部１８がアクセス情報表示要求信号を受信すると、制御部１９は、第１の照明層１２を発光させ、第２の照明層１３の発光を停止させることにより広告を照明させる広告照明モードから、第１の照明層１２の発光を停止させ、第２の照明層１３を発光させてアクセス情報を照明するアクセス情報照明モードへ切り替える。
【００７７】
この構成によれば、広告関連情報をしたい場合には、アクセス情報付近の領域のみが明るく表示されるので、アクセス情報を取得しやすくなる。これにより、広告関連情報を提供する情報提供サイトへのアクセスが容易となるので、表示された広告の広告関連情報を短時間で提供することが可能となる。
【００７８】
また、本実施の形態によれば、制御部１９は、照明モードをアクセス情報照明モードに切り替えた後、広告照明モードに切り替える。この構成によれば、アクセス情報照明モードから広告照明モードへ復帰させることができるので、広告表示機能を損なうことなくアクセス情報を表示させることが可能となる。
【００７９】
また、本実施の形態によれば、広告表示層１４は、透明な第１のフィルム層１４ａと、第１のフィルム層１４ａの主面１４ｃに広告が形成された広告形成層１４ｂと、で構成されている。この構成によれば、第１のフィルム層１４ａが第１の照明層１２からの照明を透過させることができるので、広告形成層１４ｂに形成された広告を明るく表示させることが可能となる。
【００８０】
また、本実施の形態によれば、第１の照明層１２及び第２の照明層１３は、複数のＥＬ素子で構成されたＥＬ層１２ｂ及び１３ｂをそれぞれ備えている。この構成によれば、第１の照明層１２及び第２の照明層１３の重量が軽減されるので、広告表示装置１０の重量が軽減される。これにより、広告表示装置１０の設置に要する労力が軽減され、設置場所の自由度を向上させることが可能となる。
【００８１】
また、本実施の形態によれば、アクセス情報表示層１５は、透明な第２のフィルム層１５ａと、第２のフィルム層１５ａの第１の主面１５ｃにアクセス情報が形成されたアクセス情報形成層１５ｂと、で構成されている。この構成によれば、第２のフィルム層１５ａが第２の照明層１３からの照明を透過させることができるので、アクセス情報形成層１５ｂに形成されたアクセス情報を明るく表示させることが可能となる。これにより、アクセス情報表示層１５における、アクセス情報が形成された領域と、それ以外の領域との明度の差を大きくすることができるので、アクセス情報を検出しやすくなる。また、アクセス情報を表示された領域が明示されるので、アクセス情報を撮像しやすくなる。
【００８２】
また、本実施の形態によれば、アクセス情報表示層１５の第２のフィルム層１５ａが紫外線の透過を低減させる材料で形成され、アクセス情報は、第２のフィルム層１５ａの第１の主面１５ｃに紫外線の透過を低減させる材料で印刷されている。この構成によれば、アクセス情報が形成された領域と、それ以外の領域と、における紫外線の透過率に差が生じるので、それぞれの領域において反射する紫外線量に基づいてアクセス情報を検出することが可能となる。
【００８３】
また、本実施の形態によれば、情報提供サイト３０がネットワーク４０と接続され、アクセス情報は、情報提供サイト３０のネットワーク４０におけるアドレス情報で構成されている。この構成によれば、この構成によれば、通行人は、ネットワーク４０を介して情報提供サイト３０へ容易にアクセスすることができるので、より短時間で広告関連情報を取得することが可能となる。
【００８４】
また、本実施の形態によれば、アクセス情報は、２次元コードで構成されている。この構成によれば、２次元コードを読み取るアプリケーションを起動することにより、容易にアクセス情報を取得することができるので、アクセス情報の利用が一層促進される。また、広く流通している情報処理端末２０にこのようなアプリケーションを搭載するだけでよいので、アクセス情報取得用の機器を新たに開発する必要がなく、実用化が容易である。
【００８５】
また、本実施の形態によれば、基板１１は可撓性を有する材料で構成されている。この構成によれば、広告表示部１０Ａを変形させることができるので、設置箇所の状況に応じて自在に広告表示装置１０を設置することが可能となる。
【００８６】
また、本実施の形態によれば、情報処理端末２０からアクセス情報を表示させるアクセス情報表示要求信号が送信される。アクセス情報表示要求信号を受信した広告表示装置１０では、照明モードが広告照明モードからアクセス情報照明モードに切り替えられ、アクセス情報が照明される。そして、撮像部２１は、広告表示装置１０に表示されたアクセス情報を撮像し、アクセス情報の撮像画像を生成する。画像処理部２２は、撮像画像からアクセス情報を検出する。ネットワーク通信部２３は、検出したアクセス情報に基づいて、ネットワーク４０を介して情報提供サイト３０へアクセスし、情報提供サイト３０から広告関連情報を受信する。そして、端末表示部２５は、受信した広告関連情報を表示する。
【００８７】
この構成によれば、情報処理端末２０では、撮像画像に基づいて、広告表示部１０Ａに表示されたアクセス情報が検出されるので、情報提供サイト３０へのアクセスを容易に行うことが可能となる。
【００８８】
また、本実施の形態によれば、広告表示装置１０の近距離無線通信部１８がアクセス情報表示要求信号を受信したことを示す受信信号を送信し、情報処理端末２０の近距離無線通信部２７が受信信号を受信すると撮像部２１が起動される。この構成によれば、アクセス情報の表示要求を行うと撮像部２１が自動的に起動されるので、アクセス情報の撮像を介しするまでの操作が簡略化される。これにより、アクセス情報の表示要求を行ってから広告関連情報を取得するまでの時間がさらに短縮される。
【００８９】
また、本実施の形態によれば、撮像部２１は、広告表示部１０Ａに表示されたアクセス情報を複数回撮像する。この構成によれば、複数の撮像画像が生成されるので、アクセス情報が鮮明に撮像された撮像画像が生成される確率が向上する。これにより、アクセス情報の検出精度がより向上し、より短時間で広告関連情報を取得することが可能となる。
【００９０】
（実施の形態２）
次に、本考案の実施の形態２について説明する。なお、以下では、前述の実施の形態と重複する箇所については、原則としてその説明を省略する。図７は、本考案の実施の形態２に係る広告表示部の構成の一例を示す図である。図７では、前述の図３（ｂ）に対応させて、広告表示部１０Ａの断面図が示されている。
【００９１】
本実施の形態では、図７に示すように、アクセス情報形成層１１５ｂが、第２のフィルム層１５ａの基板１１側の第２の主面１５ｄに形成されている。アクセス情報形成層１１５ｂも、例えば、インクジェット式のプリンタにより印刷されたアクセス情報で構成される。
【００９２】
アクセス情報の印刷には、例えば、紫外線を吸収し可視光を発する蛍光増白剤を含む材料で構成されたインク（以下では「蛍光増白インク」とも称する）が使用される。また、蛍光増白インクは、透明な材料で構成されていることが好ましい。アクセス情報印刷領域では、例えば、第２のフィルム層１５ａ（ＵＶフィルム）を透過し、第２の照明層１３で反射した紫外線が蛍光増白インクにより吸収され、さらに蛍光増白インクにより吸収されなかった紫外線の透過がＵＶフィルムで抑えられる。
【００９３】
一方、それ以外の領域では、第２の照明層１３で反射した紫外線の透過は、ＵＶフィルムのみで抑えられる。これにより、アクセス情報印刷領域では、広告表示部１０Ａの内部から透過する紫外線量が抑えられる。このように、アクセス情報印刷領域は、その他の領域よりも紫外線域における明度が小さく（暗く）なり明度に差が生じる。
【００９４】
次に、可視光について検討すると、アクセス情報表示層１５は第２の照明層１３により照明されている。また、アクセス情報印刷領域では、蛍光増白インクが発光している。また、アクセス情報印刷領域では、蛍光増白剤によりこれら照明及び発光が若干減光される。これらが相互に影響して、アクセス情報印刷領域では、その他の領域とは可視光域における明度に差が生じる。
【００９５】
情報処理端末２０の画像処理部２２は、画像処理により紫外線域あるいは紫外線域における明度の差に基づいてアクセス情報を検出する。
【００９６】
本実施の形態によれば、前述の実施の形態の効果に加え、以下の効果が得られる。本実施の形態によれば、アクセス情報は、広告表示層１４側の第２のフィルム層１５ａの第２の主面１５ｄに、紫外線を吸収し可視光を発する材料（例えば蛍光増白剤）で印刷されている。このような構成においても、可視光域及び紫外線域におけるアクセス情報印刷領域とそれ以外の領域の明度の差が生じるので、画像処理部２２によるアクセス情報の検出が可能となる。
【００９７】
また、この構成によれば、アクセス情報形成層１１５ｂが、広告表示部１０Ａの内側に配置されることとなるので、アクセス情報形成層１１５ｂが、第２のフィルム層１５ａにより保護される。
【００９８】
なお、本考案は前述した実施の形態に限定されるものではなく、様々な変形例が含まれる。また、例えば、上記した実施の形態は本考案を分かりやすく説明するために詳細に説明したものであり、必ずしも説明した全ての構成を備えるものに限定されるものではない。また、各部の大きさは、図面等の記載に限定されるものではなく、適宜変更可能である。
【符号の説明】
【００９９】
１…情報提供装置、１０…広告表示装置、１０Ａ…広告表示部、１１…基板、１１ａ…主面、１２…第１の照明層、１３…第２の照明層、１４…広告表示層、１４ａ…第１のフィルム層、１４ｂ…広告形成層、１５…アクセス情報表示層、１５ａ…第２のフィルム層、１５ｂ…アクセス情報形成層、１５ｃ…第１の主面、１５ｄ…第２の主面、１７…電源部、１８…近距離無線通信部、１９…制御部、２０…情報処理端末、２１…撮像部、２２…画像処理部、２３…ネットワーク通信部、２４…端末制御部、２５…端末表示部、２７…近距離無線通信部、３０…情報提供サイト、４０…ネットワーク、１１５ｂ…アクセス情報形成層
【図１】
0003210603.tif 000003
【図２】
0003210603.tif 000004
【図３】
0003210603.tif 000005
【図４】
0003210603.tif 000006
【図５】
0003210603.tif 000007
【図６】
0003210603.tif 000008
【図７】
0003210603.tif 000009